(57)【要約】【課題】  多くのゴミを収納した後、開口部４の結び目６以外にゴミ収納体５を保持するための部位を有し、安全にそして効率よくゴミ収納体５を運搬することが可能なプラスチック製ゴミ袋１を提供すること。【解決手段】  偏平に折り畳まれたチューブ状フィルムを、幅方向に適宜折り畳み、重なったフィルムが一体となり底辺３から所定の間隔で底シール２を行うことで、底辺３から底シール２まで、所謂シール下のフィルムが持ち手となり、安全にそして効率よくゴミ収納体５を運搬することが可能となる。【選択図】  図１
2005200166.tif 000002
【特許請求の範囲】
【請求項１】
偏平に折り畳まれたチューブ状フィルムが、一回以上、幅方向に折り畳まれ、
底辺３からの距離ｄが５０〜２００ｍｍとなる位置に、折り畳まれた各フィルム片が一体となるように底シール２が形成されていることを特徴とするプラスチック製ゴミ袋１。
【請求項２】
底辺３から底シール２までの間の、底辺３に隣接した箇所の偏平に折り畳まれたチューブ状フィルムに融着部が形成されていることを特徴とする請求項１のプラスチック製ゴミ袋１。
【発明の詳細な説明】
【技術分野】
【０００１】
本発明は、ゴミを収納した後に、運搬が容易に行えるプラスチックフィルム製のゴミ袋に関する。
【背景技術】
【０００２】
従来からゴミを収納するためのゴミ袋として、プラスチック製の袋が広く利用されている。チューブ状プラスチックフィルムの一端を開口部、反対側の端部を幅方向に底シールを行った平袋や、両側部を内側に折り込んだガゼット袋などがゴミ袋として利用されている。また、ガゼット袋の開口部の中央部を両端のガゼット部にかかるようにＵ字型に切除し残された両端の上端部をシールして持ち手としたいわゆるレジ袋様のプラスチック袋も利用されている。これらのプラスチック製袋にゴミを収納した後、平袋やガゼット袋では、開口部付近を束ねて紐やロープで結んだり、開口部の対向する箇所のフィルム端を引っ張って角状にして互いを結んだりしている。また、レジ袋様の袋では持ち手部分を結んだりして、この結び目付近を持ち手として運搬している。
【０００３】
ゴミ収納後の重量が小さい場合には、開口部の結び目付近を持って片手で運搬することも可能である。しかし、ゴミ袋として市販されているプラスチック製の袋は、大きいものでは容量が７０〜９０リットルもあり、これらの袋にゴミを容量いっぱいまで収納した場合かなりの重さとなり、開口部の結び目付近を片手で持って運搬するのは困難である。仮に開口部付近の結び目を両手で持って運搬しても、体勢が不安定になり腰への負担が大きくなる。そのため、ゴミ収納体を両手で抱きかかえるようにして運搬せざるを得ない。ところが、収納したゴミの中に鋭利な突起物があると誤って身体を傷つけることになりかねない。自身がゴミを収納した場合は十分に注意しながら運搬することも可能であるが、自治体などのゴミ収集に際して収集員はゴミ収納体の中にどの様なゴミが収納されているか把握することはできず、その危険性は一層増していた。
そこで、プラスチックシートにより形成された袋本体の底縁にシート片が突設されており、このシート片を持ち運びに際しての手懸かりとして使用することができることを特徴としたプラスチックシート袋が提案されている（特許文献１）。
【特許文献１】特開平６−２２７５５０号
【発明の開示】
【発明が解決しようとする課題】
【０００４】
本発明は、多くのゴミを収納した後、開口部４の結び目６以外にゴミ収納体５を保持するための部位を有し、鋭利な突起物が収納されていたとしても安全にそして効率よくゴミ収納体５を運搬することが可能なプラスチック製ゴミ袋１を提供することを課題とする。
【課題を解決するための手段】
【０００５】
本発明者らは鋭意検討を行った結果、偏平に折り畳まれたチューブ状フィルムを、幅方向に適宜折り畳み、重なったフィルムが一体となるように底シールを行い、底辺から底シールまでのフィルム、所謂シール下のフィルムを持ち手とする事で上記課題が解決されたプラスチック製ゴミ袋が得られること見出し本発明に至った。即ち、本発明によれば、
（１）偏平に折り畳まれたチューブ状フィルムが、一回以上、幅方向に折り畳まれ、
底辺３からの距離ｄが５０〜２００ｍｍとなる位置に、折り畳まれた各フィルム片が一体となるように底シール２が形成されていることを特徴とするプラスチック製ゴミ袋１が提供され、
（２）底辺３から底シール２までの間の、底辺３に隣接した箇所の偏平に折り畳まれたチューブ状フィルムに融着部が形成されていることを特徴とする（１）記載のプラスチック製ゴミ袋１が提供される。
【発明の効果】
【０００６】
本発明のプラスチック製ゴミ袋１はゴミを収納後、開口部４の結び目６及びシール下のフィルムを持ち手として両手で持って運搬でき、ゴミ収納体５を抱きかかえるようにして持たなくても良くなるので、突起物が収納されていたとしても身体を傷付ける恐れが少なくなる。また、開口部４の結び目６とシール下のフィルムをそれぞれ別の人が持って、二人で運搬することも可能となる。
さらに、チューブ状フィルムが幅方向に折り畳まれた状態で底シール２が形成されるので、シール下のフィルムは幾重にも重なっており、ゴミ収納体５の重量が重くてもフィルムが破断する恐れがない。
【発明を実施するための最良の形態】
【０００７】
以下、本発明について説明する。
本発明のゴミ袋に使用するプラスチック製フィルムには、低密度ポリエチレン、高密度ポリエチレン、直鎖状低密度ポリエチレン、エチレン−酢酸ビニル共重合体、ポリプロピレンなどの軟質熱可塑性樹脂が好適に用いられる。これらの軟質熱可塑性樹脂は単独あるいは複数混合して使用しても良いし、単層であっても、多層でもかまわない。
これらの軟質熱可塑性樹脂をインフレーション法で押し出し、チューブ状フィルムに成形して使用する。
【０００８】
フィルムの厚みは特に限定されないが、ゴミ袋の容量、フィルムの材質及びゴミを収納した際に破袋しないだけの強度を考慮すると１０〜１００μｍが好ましく、１５〜５０μｍがより好ましい。
【０００９】
本発明は容量の大きなゴミ袋の好適に利用できることから、プラスチック製ゴミ袋１の開口部４に於ける有効幅が４００〜１０００ｍｍとなるチューブ状フィルムが好適に利用される。
【００１０】
底シール２は、偏平に折り畳まれたチューブ状フィルムが適宜幅方向に折り畳まれ、重ね合わされたフィルムが一体になるように行われなければならない。また、底シール２はフィルムが融着された部分と融着されていない部分が交互に連続している不連続な点シールでもかまわないが、プラスチック製ゴミ袋１に水分を含んだゴミを収納する場合には、底シール２から水漏れを起こすと周囲を汚染することになるので、幅方向にわたって連続的に底シール２を行うことが好ましい。
【００１１】
ゴミ袋にゴミを投入していくと底シール２の形状に沿って収納されていくので、偏平に折り畳まれたチューブ状フィルムが適宜幅方向に折り畳まれ、重ね合わされたフィルムが一体になるように底シール２が行われていると、ゴミを収納した後でもシール下のフィルムは広がることなく折りたたまれた幅が維持できる。そこで、シール下のフィルムをひとまとめにしてにして持つことが可能である。また、幾重にも重なった状態のフィルムが一体になるように底シール２が行われているので、収納したゴミの重さによってフィルムが破断することもない。
【００１２】
チューブ状フィルムが幅方向に折り畳まれないで底シール２が行われていると、ゴミを収納後に底シール２はチューブ状フィルムの全幅に広がってしまい、シール下のフィルムを一まとめにすることは困難で、フィルムを二枚重ねの状態で持つこととなる。ところが、ゴミ収納体５が重いと持っている部分のフィルム、特に指の先端が接触する部分にはゴミ収納体５の重量が集中するのでフィルムが破断しやすくなる。シール下のフィルムを持つ場合、通常、指の先端が底シール２付近に位置するようにフィルムを握り込むことになるので、指の先端付近のフィルムが破断すれば最悪の場合底シール２までもが破壊され、収納したゴミが散乱することとなる。
【００１３】
偏平に折り畳まれたチューブ状フィルムを幅方向に折り畳む方法は特に限定されない。
チューブ状フィルムを、山折れ部と谷折れ部が交互に連続するように幅方向に数回折り畳めばよい。また、チューブ状フィルムを幅方向に半分に折り畳み、次いでもう一度同様に半分に折り畳んでも良いし、チューブ状フィルムの両側部が中央部で接するように折り畳み、次いで両側部が内面となるように中央部で半分に折り畳んでも良い。さらにまた、チューブ状フィルムの両側部に折込部を設けた後に半分に折り畳んでも良い。
例えば、チューブ状フィルムの幅を三等分して「Ｎ」字状に折り畳んだり、四等分にして「Ｗ」字状に折り畳むことが好ましい。
【００１４】
底シール２が行われている箇所の重なっているフィルムの枚数は、同数であることが好ましい。底シール２の幅方向で重なっているフィルムの枚数が異なると、フィルムの枚数が多い箇所と少ない箇所とでシールを行う時に加わる熱量や圧力が異なり、シール不良が発生し易くなる。そこで、底シール２の全幅にわたってフィルム枚数が等しくなるよう折り畳まれることが好ましい。
【００１５】
また、従来ゴミ袋は使用時に一枚ずつ取り出せるように、複数のゴミ袋が折り畳まれて重ねられた状態でプラスチック製の外装袋に収納されたり、ロール状に巻き取られて紙製のケースに収納されて販売されていることから、これらの外装袋やケースが利用できるように幅を設定することが好ましい。
【００１６】
チューブ状フィルムの一端を円形状にひとまとめにして熱シールを行った玉シールという方法もあり、開口部４の結び目６以外のもう一つの持ち手を形成する方法としては有効であるが、シール部分が非常に嵩張り上記のように外装袋やケースに複数のゴミ袋を収納することができず、底シール２を行う方法としては好ましくない。
【００１７】
底辺３から底シール２までの距離ｄは５０〜２００ｍｍに設定されなければならない。
底辺３から底シール２までの距離ｄが５０ｍｍよりも短いとシール下のフィルムを持ち上げることが難しく、重いゴミ収納体５を保持することができない。一方、２００ｍｍよりも長いとゴミ収納体５を保持しやすいが、ゴミ袋のサイズが容量の割に大きくなり嵩張るだけでなく、コストアップにもつながり好ましくない。
【００１８】
さらに、プラスチック製ゴミ袋１の底辺３から底シール２までの間の、底辺３に近接した箇所偏平に折り畳まれたチューブ状フィルムに融着部が形成されていても良い。融着部はチューブ状フィルムが幅方向に折り畳まれる前でも、折り畳まれた後のどちらで形成されてもかまわないが、折り畳まれた後にフィルムが重ね合わされた状態で形成されることがより好ましい。折り畳まれた後にフィルムが重ね合わされた状態で融着部が形成されることにより、ゴミを収納した後でもシール下のフィルム端が広がらないので一まとめにして持ちやすくなる。また、ゴミ袋の幅方向に連続的なシールや不連続なシールによって融着部が形成されていても良い。また、シール下のフィルム端が広がらないために、最低限必要な数と大きさの点状シールによって融着部が形成されてもかまわない。
【００１９】
こうして得られたプラスチック製ゴミ袋は、ゴミを収納した後、開口部４付近を束ねて紐やロープで結んだり、開口部４の対向する箇所のフィルム端を引っ張って角状にして互いを結んだりした結び目６と、シール下のフィルムが運搬時の持ち手として利用される。
【実施例】
【００２０】
以下、本発明を図を用いて詳細に説明する。
【００２１】
図１は本発明のプラスチック製ゴミ袋１の一例を示した斜視図である。
図２は図１のプラスチック製ゴミ袋１において、チューブ状フィルムを幅方向に折り畳む手順を示した概略図である。
【００２２】
プラスチック製ゴミ袋１は、偏平に折り畳まれたチューブ状フィルムを幅方向に三等分し、左側三分の一のフィルムを内側に折り畳み、次いで右側三分の一のフィルムを先ほど折り畳んだ左側三分の一のフィルムの上に重なるように折り畳まれている。折り畳まれた後の幅は、当初のチューブ状フィルムの幅の三分の一に相当する。
【００２３】
底辺３からの距離ｄの位置に、底辺３と平行に底シール２が形成されている。
底シール２が形成されている箇所のフィルムは、底シール２の全幅にわたってフィルムが六枚重ねになっており、六枚のフィルムが一体化するように底シール２が形成されている。
【産業上の利用可能性】
【００２４】
偏平に折り畳まれたチューブ状フィルムを、幅方向に適宜折り畳み、重ね合わされたフィルムが一体となるように底シール２を行うことで、ゴミを収納後開口部４の結び目６及びシール下のフィルムを持ち手として両手で持って運搬かのうなプラスチック製ゴミ袋１が提供可能となる。
【図面の簡単な説明】
【００２５】
【図１】本発明のプラスチック製ゴミ袋１の一例を示した斜視図である。
【図２】図１のプラスチック製ゴミ袋１において、チューブ状フィルムを幅方向に折り畳む手順を示した概略図である。
【図３】本発明のプラスチック製ゴミ袋１の使用状態を示す概略図である。
【図４】従来のプラスチック製ゴミ袋の使用状態を示す概略図である。
【符号の説明】
【００２６】
１    プラスチック製ゴミ袋
２    底シール
３    底辺
４    開口部
５    ゴミ収納体
６    結び目
【図１】
2005200166.tif 000003
【図２】
2005200166.tif 000004
【図３】
2005200166.tif 000005
【図４】
2005200166.tif 000006